(57)【要約】      （修正有）【課題】本考案は防水、耐久性があり、工賃の削減が図れる農作物およびゴミ集荷場などの害鳥被害防止のおどしである。【解決手段】プラッチック円錐形１の上部に相対する孔２を設置し、紐４を通し紐で上下を張り、中間に本体のプラッチック円錐形１を固定し、円錐形外部斜面には害鳥が警戒する鳥や動物の姿態の絵３を複数描く。【選択図】図１
0003135071.tif 000002
【実用新案登録請求の範囲】
【請求項１】
プラｚッチック製の円錐形にして上部に相対する孔を設置し、外部の斜面には害鳥の警戒する鳥や動物の姿態を複数描く、孔には紐を通し、上下の紐で円錐形を中間に固定するプラッチック円錐形の害鳥おどし。
【考案の詳細な説明】
【技術分野】
【０００１】
本考案は、プラッチック製の円錐形をなす害鳥おどしである。
【背景技術】
【０００２】
既存の紙製の円錐形鳥のオドシは耐久性に乏しい。防水加工、継ぎ手の補強などに手間と材料費がかさむ。などの欠点があった。
【考案の開示】
【考案が解決しようとする課題】
【０００３】
既存の紙製品の弱点である。防水、耐久性の解決および工賃の削減を図ることにある。
【課題を解決するための手段】
【０００４】
プラッチックを圧力で成型することで、加工がきわめて簡単。防水、耐久性にも優れている。
【考案の効果】
【０００５】
既存の紙製品と比較して、風雨にさらされても破損や変形することがない。
【０００６】
カラス、ハト、スズメ、ヒヨドリなど、これらの人里で悪さをする鳥は、こぞって頭がよく、平面に描いた絵では効果はほとんどない。円錐形に描かれた害鳥の警戒する姿態は立体感が抜群の効果を発揮する。
【０００７】
おどしが円錐形なので、斜面に描かれたおどしの絵が、上空を飛来する害鳥、水平を飛行する害鳥いずれにも視野に入りやすい。
【０００８】
晴天の場合は、プラッチックの光沢と相俟って、円錐形の斜面が太陽光線を浴びて異様に反射する。どの害鳥にも極めて有効な効果をもたらす。
【０００９】
吊るされているおどしの円錐形が、風で大きく揺らいだのでは、害鳥の視野にとどまらない。円錐形の振れは中心を固定するひもによって、円錐形の底辺の直径の長さの振幅内にとどまる利点がある。
【考案を実施するための最良の形態】
【００１０】
主に農作物を害鳥から守るためのおどしである。が、その他、ゴミの集荷場などのカラス対策としても有効である。
【００１１】
トウモロコシ、大豆、小豆などの豆類、稲など作物の丈に合わせて、おどしの高さを適宜に調整して吊るす。
【００１２】
農作物の主な害鳥は、カラス、ハト、スズメ、ヒヨドリなどで、これらの鳥類は円錐形の外部斜面に描かれた複数の鳥や動物の姿態の種類で、おどしの効果は異なる。従って、もっとも適応するものを選定して吊るす。
【実施例】
【００１３】
以下、添付図面に従って実施例を説明する。１は耐久性のプラッチック製であり、素材を用い一体化形成された円錐形の害鳥おどしで、外部斜面には害鳥が警戒する鳥や動物の姿態の３の絵を複数描き、上部には相対する2の孔を設置し、4のひもを2の孔に通し６の木の枝や７の地中に5のアンカーを打ち込み、4のひもで１の円錐形を中間に適宜、固定する。
【００１４】
８はプラッチックの光沢が太陽光線に反射して光り輝く部分で、害鳥が異常に警戒する。
【図面の簡単な説明】
【００１５】
【図１】本考案のプラッチック製の害鳥おどしを設置した正面図である。
【図２】太陽光線を反射し、光り輝く部分を表示したプラッチック製の害鳥おどしの正面図である。
【符号の説明】
【００１６】
１  円錐形
２  孔
３  害鳥が警戒する鳥や動物の姿態を描いた絵
４  ひも
５  アンカー
６  木の枝
７  地中
８  反射部分
【図１】
0003135071.tif 000003
【図２】
0003135071.tif 000004
【手続補正書】
【提出日】平成19年4月25日(2007.4.25)
【手続補正１】
【補正対象書類名】実用新案登録請求の範囲
【補正対象項目名】請求項１
【補正方法】変更
【補正の内容】
【請求項１】
プラｚッチック製の円錐形にして上部に相対する孔を設置し、外部の斜面には害鳥の警戒する鳥や動物の姿態を複数表示し、孔には紐を通し、上下の紐で円錐形を中間に固定するプラッチック円錐形の害鳥おどし。
【手続補正２】
【補正対象書類名】明細書
【補正対象項目名】０００７
【補正方法】変更
【補正の内容】
【０００７】  おどしが円錐形なので、斜面に表示されたおどしの絵が、上空を飛来する害鳥、水平を飛行する害鳥いずれにも視野に入りやすい。
【手続補正３】
【補正対象書類名】明細書
【補正対象項目名】００１３
【補正方法】変更
【補正の内容】
【００１３】  以下、添付図面に従って実施例を説明する。１は耐久性のプラッチック製であり、素材を用い一体化形成された円錐形の害鳥おどしで、外部斜面には害鳥が警戒する鳥や動物の姿態の３の絵を複数表示し、上部には相対する２の孔を設置し、４のひもを２の孔に通し６の木の枝や７の地中に５のアンカーを打ち込み、４のひもで１の円錐形を中間に適宜、固定する。
【手続補正４】
【補正対象書類名】明細書
【補正対象項目名】００１６
【補正方法】変更
【補正の内容】
【００１６】１  円錐形
２  孔
３  害鳥が警戒する鳥や動物の姿態を表示した絵
４  ひも
５  アンカー
６  木の枝
７  地中
８  反射部分
【手続補正書】
【提出日】平成19年6月21日(2007.6.21)
【手続補正１】
【補正対象書類名】実用新案登録請求の範囲
【補正対象項目名】全文
【補正方法】変更
【補正の内容】
【実用新案登録請求の範囲】
【請求項１】
プラスチック製の円錐形にして上部に相対する孔を設置し、外部の斜面には害鳥の警戒する鳥や動物の姿態を複数表示し、孔には紐を通し、上下の紐で円錐形を中間に固定するプラスチック円錐形の害鳥おどし。
【手続補正２】
【補正対象書類名】明細書
【補正対象項目名】全文
【補正方法】変更
【補正の内容】
【考案の詳細な説明】
【技術分野】
【０００１】本考案は、プラスチック製の円錐形をなす害鳥おどしである。
【背景技術】
【０００２】既存の紙製の円錐形鳥のオドシは耐久性に乏しい。防水加工、継ぎ手の補強などに手間と材料費がかさむ。などの欠点があった。
【考案の開示】
【考案が解決しようとする課題】
【０００３】既存の紙製品の弱点である。防水、耐久性の解決および工賃の削減を図ることにある。
【課題を解決するための手段】
【０００４】プラスチックを加熱、加圧で成型することで、加工がきわめて簡単。防水、耐久性にも優れている。
【考案の効果】
【０００５】既存の紙製品と比較して、プラスチックは風雨にさらされても破損や変形することが少ない。【０００６】円錐形に表示した害鳥の警戒する姿態は立体感があり抜群の効果を発揮する。【０００７】製品が円錐形なので、斜面に表示されたおどしの絵が、上空を飛来する害鳥、水平を飛行する害鳥いずれにも視野に入りやすい。【０００８】晴天の場合は、プラスチックの光沢と相俟って、円錐形の斜面が太陽光線を浴びて一部が異様に反射する。どの害鳥にも極めて有効な効果をもたらす。【０００９】吊るされているおどしの円錐形が、風で大きく揺らいだのでは、害鳥の視野にとどまらない。円錐形の振れは中心を固定するひもによって、円錐形の底辺の直径の長さの振幅内にとどまる利点がある。
【考案を実施するための最良の形態】
【００１０】主に農作物を害鳥から守るためのおどしである。が、その他、ゴミの集荷場などのカラス対策としても有効である。【００１１】トウモロコシ、大豆、小豆などの豆類、稲など作物の丈に合わせて、おどしの高さを適宜に調整して吊るす。【００１２】円錐形の外部斜面に表示された鳶、狐、狸、イタなど複数の鳥や動物の姿態で、多種な害鳥に効果をもたらす。
【実施例】
【００１３】以下、添付図面に従って実施例を説明する。１は耐久性のプラスチック製であり、外部斜面には害鳥が警戒する鳶、狐、狸、イタチなどの鳥や動物の姿態の絵を複数表示し、上部には相対する２の孔を設置し、４のひもを２の孔に通し６の木の枝や７の地中に５のアンカーを打ち込み、４のひもで１の円錐形を中間に適宜、固定する。【００１４】８はプラスチックの光沢が太陽光線に反射して光り輝く部分で、害鳥が異常に警戒する。
【図面の簡単な説明】
【００１５】
【図１】本考案のプラスチック製、円錐形の外部斜面に狐の姿態を表示し、設置した状態の正面図である。
【図２】プラスチック製、円錐形の外部斜面に鳶の姿態を表示した裏面図である。
【図３】プラスチック製、円錐形の外部斜面に狸の姿態を表示した右側面図である。
【図４】プラスチック製、円錐形の外部斜面にイタチの姿態を表示した左側面図である。
【符号の説明】
【００１６】  １  プラスチック製の円錐形
２  孔
３  害鳥が警戒する狐の姿態を表示した絵
４  ひも
５  アンカー
６  木の枝
７  地中
８  反射部分
９  鳶の姿態を表示した絵
１０  狸の姿態を表示した絵
１１  イタチの姿態を表示した絵
【手続補正３】
【補正対象書類名】図面
【補正対象項目名】全図
【補正方法】変更
【補正の内容】
【図１】
0003135071.tif 000005
【図２】
0003135071.tif 000006
【図３】
0003135071.tif 000007
【図４】
0003135071.tif 000008